(57)【要約】【課題】２つの蓋部を容易な操作で開放することを可能とすることで、操作性を向上させることが可能な蓋部の開閉機構を提供することを目的とする。【解決手段】装置本体２の上部に設けられた前蓋部３と後蓋部４とのそれぞれの基部が、装置本体２に回動可能に支軸されていることで観音開きする蓋部の開閉機構において、後蓋部４には、開閉を操作するために突出した後蓋つまみ部４５２と、後蓋つまみ部４５２が開き操作されると、装置本体２に設けられた爪部２０３との係止状態が解除される凹部４５３と、爪部２０３との係止状態の解除に伴って前蓋部３を下側から押し上げる押上部４５５とを備えた保持部４５が設けられている。【選択図】図８
2008072436.tif 000002
【特許請求の範囲】
【請求項１】
装置本体の上部に設けられた第１蓋部と第２蓋部とのそれぞれの基部が、前記装置本体に回動可能に支軸されていることで観音開きする蓋部の開閉機構において、
前記第１蓋部には、開閉を操作するために突出した第１つまみ部と、
前記第１つまみ部が開き操作されると、前記装置本体に設けられた爪部との係止状態が解除される係止部と、
前記爪部との係止状態の解除に伴って前記第２蓋部を押し上げる押上部と
を備えたことを特徴とする蓋部の開閉機構。
【請求項２】
前記装置本体には、前記第１蓋部が閉じ操作されたときに、前記第１蓋部の閉動作を制限して、静止状態とする制限部が設けられていることを特徴とする請求項１記載の蓋部の開閉機構。
【請求項３】
前記爪部は、前記第１蓋部が閉じ操作されたときに、前記係止部が上面に当接する位置に設けられ、
前記係止部は、前記爪部と係止可能な凹部が設けられると共に、回動可能であり、かつ弾性復元力により係止方向へ付勢され、閉じ操作によって前記爪部の上面に当接すると弾性復元力により静止状態となり、更なる閉塞力によって前記爪部の上面を摺動しつつ、係止方向とは反対となる方向へ回動し、前記凹部が前記爪部に係止することを特徴とする請求項１記載の蓋部の開閉機構。
【請求項４】
前記第２蓋部には、開閉操作するために突出した第２つまみ部が設けられ、
前記第２つまみ部は、前記第１蓋部が前記制限部により閉動作が制限されているときの前記第１つまみ部の上面に、載って重なる位置に設けられていることを特徴とする請求項２記載の蓋部の開閉機構。
【請求項５】
前記第１蓋部は後蓋部であり、
前記第２蓋部は前蓋部であり、
前記第１つまみ部と第２つまみ部とは、前記後蓋部と前蓋部との位置関係と反対となるように配置されていることを特徴とする請求項４記載の蓋部の開閉機構。
【請求項６】
前記第１つまみ部は、前記第２蓋部と異なる色に形成されていることを特徴とする請求項１から５のいずれかの項に記載の蓋部の開閉機構。
【請求項７】
前記第１つまみ部および前記押上部は、ＰＯＭ樹脂あるいはガラス繊維ＡＢＳ樹脂で一体的に形成されていることを特徴とする請求項１から６のいずれかの項に記載の蓋部の開閉機構。
【発明の詳細な説明】
【技術分野】
【０００１】
本発明は、装置本体の上部に設けた第１蓋部と第２蓋部とが観音開きする蓋部の開閉機構に関する。
【背景技術】
【０００２】
装置本体上部に設けた２つの蓋部が観音開きする従来の蓋部の開閉機構として、特許文献１に記載されたものがある。この特許文献１に記載のファクシミリ装置は、前側に位置する原稿読取部カバーと、後側に位置する記録部カバーとが観音開きするものである。このファクシミリ装置は、原稿詰まりが生じると原稿読取部カバーを開放して点検したり、記録紙詰まりが生じると記録部カバーを開放して点検したり、両方を点検するときには原稿読取部カバーと記録部カバーとを開放して行うものである。
【特許文献１】特開平９−２１４６５８号公報
【発明の開示】
【発明が解決しようとする課題】
【０００３】
このような従来の蓋部の開閉機構を有するファクシミリ装置は、装置本体内部を点検するときに、広く観察できた方が内部の状態が観察しやすい。例えば、紙片の詰まりなどを早く発見したい場合には、両方のカバーを開いた状態で行うのが望ましい。また、昇華型の印刷部を有するファクシミリ装置などでは、印字するためのインクリボンを備えているが、このインクリボンを装着または交換するときには両方のカバーが開いた状態で行われる。
【０００４】
しかし、両方のカバーを開いた状態にするには、まず、原稿読取部カバーか、または記録部カバーのいずれかを開放した後に、残りのカバーを開放する開き操作を行う必要があり、煩雑である。
【０００５】
そこで本発明は、２つの蓋部を容易な操作で開放することを可能とすることで、操作性を向上させることが可能な蓋部の開閉機構を提供することを目的とする。
【課題を解決するための手段】
【０００６】
本発明の蓋部の開閉機構は、装置本体の上部に設けられた第１蓋部と第２蓋部とのそれぞれの基部が、前記装置本体に回動可能に支軸されていることで観音開きする蓋部の開閉機構において、前記第１蓋部には、開閉を操作するために突出した第１つまみ部と、前記第１つまみ部が開き操作されると、前記装置本体に設けられた爪部との係止状態が解除される係止部と、前記爪部との係止状態の解除に伴って前記第２蓋部を押し上げる押上部とを備えたことを特徴とする。
【発明の効果】
【０００７】
本発明によれば、第１蓋部を開き操作するだけで、第１蓋部だけでなく第２蓋部も開くことができるので、２つの蓋部を容易な操作で開放することを可能とすることで、操作性を向上させることが可能である。
【発明を実施するための最良の形態】
【０００８】
本願の第１の発明は、装置本体の上部に設けられた第１蓋部と第２蓋部とのそれぞれの基部が、装置本体に回動可能に支軸されていることで観音開きする蓋部の開閉機構において、第１蓋部には、開閉操作するために突出した第１つまみ部と、第１つまみ部が開き操作されると、装置本体に設けられた爪部との係止状態が解除される係止部と、爪部との係止状態の解除に伴って第２蓋部を押し上げる押上部とを備えたことを特徴としたものである。
【０００９】
本発明の蓋部の開閉機構は、操作者が、第１つまみ部を持って第１蓋部の開き操作をすると、係止部と装置本体に設けられた爪部との係止状態が解除され、押上部が第２蓋部を押し上げる。従って、第１蓋部を開き操作するだけで、第１蓋部だけでなく第２蓋部も開くことができる。
【００１０】
本願の第２の発明は、第１の発明において、装置本体には、第１蓋部が閉じ操作されたときに、第１蓋部の閉動作を制限して、静止状態とする制限部が設けられていることを特徴としたものである。
【００１１】
本発明の蓋部の開閉機構は、操作者によって第１蓋部が閉じ操作されると、制限部が第１蓋部の閉動作を制限して静止状態とする。第１蓋部を閉めるには操作者はこの状態から更なる閉塞力をかけて閉める必要がある。従って、操作者に第１蓋部を、確実に閉めさせることができる。
【００１２】
本願の第３の発明は、第１の発明において、爪部は、第１蓋部が閉じ操作されたときに、係止部が上面に当接する位置に設けられ、係止部は、爪部と係止可能な凹部が設けられると共に、基端部が回動可能であり、かつ弾性復元力により係止方向へ付勢され、閉じ操作によって爪部の上面に当接すると弾性復元力により静止状態となり、更なる閉塞力によって爪部の上面を摺動しつつ、係止方向とは反対となる方向へ回動し、凹部が爪部に係止することを特徴としたものである。
【００１３】
操作者によって第１蓋部が閉じ操作されたときは、係止部が爪部の上面に当接するが、閉塞力が弾性復元力より小さければ、弾性復元力によって第１蓋部は爪部の上面にて静止する。そして更なる閉塞力によって、係止部が爪部の上面を摺動しながら、係止方向とは反対となる方向へ回動する。係止部が凹部の開口が爪部の先端を超える位置まで回動すると、弾性復元力によって係止方向へ回動することで、凹部と爪部とが係止状態となる。従って、第１蓋部を閉めるには、操作者は静止状態から更なる閉塞力をかけて閉める必要がある。従って、確実に第１蓋部を閉めさせることができる。
【００１４】
本願の第４の発明は、第２の発明において、第２蓋部には、開閉操作するために突出した第２つまみ部が設けられ、第２つまみ部は、第１蓋部が制限部により閉動作が制限されているときの第１つまみ部の上面に、載って重なる位置に設けられていることを特徴としたものである。
【００１５】
第１蓋部が制限部により閉動作が制限されていて静止状態となる位置にあるときには、第２蓋部の第２つまみ部は第１つまみ部に載って重なるような位置にある。つまり、第１蓋部が完全に閉まっていない状態にあるときには、第２蓋部は第１蓋部の上に位置することになるので、操作者に第２蓋部が完全には閉まってしない状態であることが視認しやすい。従って、操作者に第２蓋部が閉まっていないことを視認させることで、第１蓋部の開閉状態の再確認を誘導することができる。
【００１６】
本願の第５の発明は、第４の発明において、第１蓋部は後蓋部であり、第２蓋部は前蓋部であり、第１つまみ部と第２つまみ部とは、第１つまみ部と第２つまみ部とは、後蓋部と前蓋部との位置関係と反対となるように配置されていることを特徴としたものである。
【００１７】
第１つまみ部と第２つまみ部とが、前蓋部と後蓋部との位置関係と反対となるように配置されていることで、後蓋部にある第１つまみ部で開き操作するためには、前蓋部にある第２つまみ部を親指で少し押さえながら、第１つまみ部を人差し指で親指と交差するように押し上げ操作する。従って、操作者は自然な動きで第１蓋部および第２蓋部を開くことができる。
【００１８】
本願の第６の発明は、第１から第５のいずれかの発明において、第１つまみ部は、第２蓋部と異なる色に形成されていることを特徴したものである。
【００１９】
第１つまみ部が第２蓋部と色が異なることで、操作者が第１蓋部の開き操作を行うときに、第１つまみ部を視認しやすい。
【００２０】
本願に第７の発明は、第１から第６のいずれかの発明において、第１つまみ部および押上部は、ＰＯＭ樹脂あるいはガラス繊維ＡＢＳ樹脂で一体的に形成されていることを特徴としたものである。
【００２１】
操作者が第１つまみ部を持って第１蓋部だけでなく第２蓋部までも持ち上げるときに、第１つまみ部には相当な応力がかかる。第１つまみ部および押上部をＰＯＭ樹脂あるいはガラス繊維ＡＢＳ樹脂することで、破損や亀裂が生じてしまうことを防止することができる。
【００２２】
（実施の形態）
本発明の実施の形態に係る蓋部の開閉機構を、ファクシミリ装置を例に、図１から図１０に基づいて説明する。
【００２３】
図１は、本発明の実施の形態に係るファクシミリ装置を示す斜視図である。図２は、図１に示すファクシミリ装置が観音開きした状態を示す斜視図である。図３は、装置本体の内部を示す要部拡大図である。図４（Ａ）は、保持部がシャフトに取り付けられている状態を示す斜視図、図４（Ｂ）は、保持部の平面図、図４（Ｃ）は、保持部の斜視図、図４（Ｄ）は、保持部の右側面図、図４（Ｅ）は、保持部の底面図である。図５は、前蓋部が開いた状態を示す斜視図である。図６は、後蓋部の係止状態を示す右側面図である。図７は、後蓋部が前蓋部を押し上げている状態を示す右側面図である。図８は、後蓋部の係止状態が解除された状態を示す右側面図である。図９は、前蓋部および後蓋部が開いた状態を示す右側面図である。図１０は、図９に示すファクシミリ装置の平面図である。まずは、本実施の形態に係るファクシミリ装置の構成について説明する。
【００２４】
図１に示すように、ファクシミリ装置１は、装置本体２と、装置本体２の左側に配置された受話器Ｈとを備えている。装置本体２には、前側に開く前蓋部（第２蓋部）３と、後側に開く後蓋部（第１蓋部）４とが観音開きする蓋部が、上部に設けられている。
【００２５】
装置本体２の内部には、図示しない記録紙や原稿を搬送する搬送系ローラと、搬送系ローラを回転させる駆動モータおよびギヤ群と、原稿紙のイメージを読み取るスキャナ部と、記録紙への印字を行う印字部と、これら電源を供給する電源部とが設けられている。装置本体２は、前部の両端部および後部の両端部に設けられた支軸２０１，２０２（図６参照）によって、前蓋部３および後蓋部４を回動可能に軸支している。
【００２６】
装置本体２には、後蓋部４が閉まった状態のときに、後述する係止部と係止する爪部２０３（図６参照）が設けられている。また、後蓋部４を付勢力で押し上げる圧縮コイルバネ２０４（図３参照）が底部に設けられている。
【００２７】
図１に示すように、前蓋部３の前面には、操作キー群３１と、表示部３２とが設けられている。操作キー群３１としては、発信先電話番号を入力したり、文字入力したりするための数字キー群３１１と、メニュー選択などを行うカーソルを操作するための十字キー３１２と、選択されたメニューなどの決定をするための決定キー３１３などを備えている。また、前蓋部３には、その他のキーとして、メニューキーや、ファクシミリ送信キーなどが設けられている。操作キー群３１は、前蓋部３の内部に設けられたプリント配線基板に実装され、キートップのみを露出させた状態で配置されている。前蓋部３は、銀色に着色されたＰＳ樹脂で形成されている。
【００２８】
表示部３２は、操作者に発信先または発信元の電話番号を通知したり、メニュー表示したり、状態表示したりするものであり、バックライト付きの液晶表示パネルが使用できる。
【００２９】
前蓋部３が後蓋部４と共に閉じられた状態のときに、前蓋部３と後蓋部４との間が原稿を給紙する給紙口Ｐ１となる。前蓋部３の内側面には格子状凸部３３（図１０参照）が形成されており、この格子状凸部３３が記録紙搬送路の前面壁３４（図８参照）となる。前蓋部３の右端には外側に向かって水平方向に突出した前蓋つまみ部３５が設けられている。前蓋部３は、装置本体２と図示しない係止機構によって閉じ位置に保持される。
【００３０】
後蓋部４は、装置本体２の支軸２０２に軸支された後蓋フレーム部４１を有し、この後蓋フレーム部４１に記録紙を給紙する給紙ローラ４２が取り付けられている。後蓋フレーム部４１の前部は傾斜面に形成され、記録紙搬送路の後面壁４１１となっている。この後面壁４１１は、前蓋部３が後蓋部４と共に閉じられたときは、前蓋部３の下側に位置している。後蓋部４には、前蓋部３と共に閉じられた状態のときに、前蓋部３との隙間である給紙口Ｐ１を塞ぐ給紙蓋部４３が、後蓋フレーム部４１の前上部に回動可能に設けられている。後蓋部４の後上部には、印字する記録紙を支持する給紙トレイ４４が回動可能に設けられている。
【００３１】
後蓋フレーム部４１の右側には、装置本体２の内部の爪部２０３と係止して後蓋部４を閉じた状態に保持する保持部４５が設けられている。ここで保持部４５について詳細に説明する。
【００３２】
保持部４５は、前蓋部３とは異なる色とした白色に着色されたガラス繊維ＡＢＳ樹脂で形成されている。保持部４５は、ガラス繊維ＡＢＳ樹脂で形成する以外に、一般的にはポリアセタール、アセタール樹脂などと呼ばれるポリオキシメチレン（ＰＯＭ）樹脂で形成することもできるが、前蓋部３および後蓋部４の開閉操作のときに亀裂や破損が生じなければ、他の材質のものを採用してもよい。
【００３３】
保持部４５は、後蓋フレーム部４１の横方向に沿って配置されたシャフト４６の右端に固定され、シャフト４６によって回転可能に支持されている。このシャフト４６の回転軸は後蓋フレーム部４１の前端に位置している。シャフト４６には、一端が後蓋フレーム部４１を付勢し、他端が保持部４５を付勢するようにねじりコイルバネ４５１（図９参照）が設けられている。このねじりコイルバネ４５１によって、保持部４５に弾性復元力が付与されている。
【００３４】
保持部４５の上部には、外側に向かって水平方向に突出した後蓋つまみ部（第１つまみ部）４５２が設けられている。後蓋つまみ部４５２が後蓋フレーム部４１より前側に位置するように保持部４５に設けられていることで、前蓋つまみ部３５と後蓋つまみ部４５２との位置関係が反対となっている。
【００３５】
保持部４５の下部には、装置本体２の爪部２０３と係止するために、係止部となる凹部４５３が設けられている。保持部４５の底面は、後蓋部４の閉じ操作に伴って、爪部２０３の上面と容易に摺動可能なようにする傾斜面すなわち摺動部４５４が形成されている。保持部４５の上面は、閉じられた後蓋部４を開き操作するときに、前蓋部３を下側から押し上げる押上部４５５である。
【００３６】
以上のように構成される本発明の実施の形態に係るファクシミリ装置１の使用状態を、図面に基づいて説明する。まずは、前蓋部３と後蓋部４とが閉まった状態にあるファクシミリ装置１を開く場合を説明する。
【００３７】
図１に示すように、前蓋部３と後蓋部４とが閉まった状態にあるときに、例えば、原稿や記録紙などの紙詰まりが発生したときやインクリボンの装着や交換のときなどに、前蓋部３と後蓋部４とを観音開きして、紙片の除去やインクリボンの脱着を行う。
【００３８】
前蓋部３と後蓋部４と観音開きするときには、後蓋フレーム部４１の前部に形成された後面壁４１１が前蓋部３の下側に位置しているので、まず、図５に示すように、前蓋部３から開き、次に後蓋部４を開くことが望ましい。しかし、使用者によっては後蓋部４から開こうとすることがある。
【００３９】
図６に示すように、後蓋部４を開くときには、後蓋つまみ部４５２を持って押し上げ操作する必要がある。後蓋つまみ部４５２は白色、前蓋部３は銀色に着色されているので、操作者は視認しやすい。本実施の形態では、後蓋つまみ部４５２を白色、前蓋部３を銀色としているが、異なる色であれば他の色での組み合わせとしてもよい。その場合には、後蓋つまみ部４５２の方が前蓋部３より目立つ白色系または金属光沢を有するような塗装を施すのが望ましい、
後蓋部４を開き操作するには、後蓋つまみ部４５２が前、前蓋つまみ部３５が後に位置しているので、前蓋つまみ部３５を右手の親指で上面を軽く押さえるようにして操作する手を安定させ、後蓋つまみ部４５２を右手の人差し指で下面から、親指と交差するように押し上げる。このように、前蓋つまみ部３５と後蓋つまみ部４５２とは、前蓋部３と後蓋部４との位置関係と反対となるように配置されているので、操作者は自然な動きで後蓋部４を開き操作することができる。
【００４０】
後蓋つまみ部４５２が押し上げ操作されることで、保持部４５がシャフト４６（図６においては図示せず）を中心として、右側面視して時計方向に回動する。保持部４５が回動することで、凹部４５３が装置本体２に設けられた爪部２０３との係止状態が解除される。つまり保持部４５が係止方向とは反対となる方向へ回動することで係止状態が解除される。後蓋部４は、操作者による押し上げ操作と共に、圧縮コイルバネ２０４（図３参照）の付勢力によって、大きな押し上げ力を加えなくても後蓋部４を浮き上がらせるように開くことができる。
【００４１】
図７に示すように、保持部４５が係止方向とは反対となる方向へ回動して、保持部４５の上面すなわち押上部４５５が前蓋部３の下側を押し上げることで、前蓋部３を閉じ位置から係止状態を解除して、浮き上がらせるように開くことができる。従って、後蓋部４を開き操作するだけで、後蓋部４の係止状態を解除して開くことができるだけでなく、前蓋部３も係止状態を解除して開くことができる。
【００４２】
図８に示すように、前蓋部３および後蓋部４のそれぞれの係止状態が解除できれば、前蓋部３のいずれかの箇所を左手で持って開きつつ、後蓋部４を右手の人差し指で押し上げ操作することで、図９および図１０に示すように、簡単に観音開き状態とすることができる。このように前蓋部３および後蓋部４が完全に閉まった状態では、前蓋部３または後蓋部４のいずれかを開くために、前蓋つまみ部３５および後蓋つまみ部４５２を持って操作するしかない。前蓋部３と後蓋部４とのそれぞれに設けられたつまみ部を、それぞれ持って観音開きする従来の蓋部の開閉機構では、前蓋部３と後蓋部４とをそれぞれ一つずつ、前蓋部３と後蓋部４と比較して小さいつまみを持って開く必要があるので、開き操作が煩雑な作業となる。しかし、本発明の実施の形態に係るファクシミリ装置１では、後蓋部４の後蓋つまみ部４５２を押し上げて開き操作するだけで、前蓋部３の係止状態が解除され、開いた状態となるので、前蓋部３の前蓋つまみ部３５を押し上げ操作することなく、前蓋部３のつかみやすいいずれかの箇所を持って開き操作することができる。従って、容易な操作で前蓋部３および後蓋部４を開放することが可能なので、操作性を向上させることが可能である。
【００４３】
次に、前蓋部３と後蓋部４とが観音開きした状態にあるファクシミリ装置１を閉じる場合を説明する。
【００４４】
図２に示すように操作者は、前蓋部３と後蓋部４とが観音開きした状態にあるときに、まず後蓋部４から閉める。後蓋部４を閉めるときには、後蓋つまみ部４５２を持って、支軸２０２を中心とした円弧を描くような閉じ操作を行う。閉じ操作に伴って後蓋部４に設けられた保持部４５の底面である摺動部４５４が、装置本体２に設けられた爪部２０３の上面に当接する。急激な閉じ操作を行うと、保持部４５だけでなく後蓋フレーム部４１の後面壁４１１が装置本体２に激しく衝突をすることが懸念されるため、ゆっくりとした閉じ操作を行うのが望ましい。従って、図８に示すように、保持部４５が爪部２０３の上面に当接するときの閉じ操作による閉塞力が、ねじりコイルバネ４５１の弾性復元力と圧縮コイルバネ２０４の付勢力より小さいものとなる。ねじりコイルバネ４５１の弾性復元力および圧縮コイルバネ２０４の付勢力によって後蓋部４は抵抗を受けるので、爪部２０３の上面に摺動部４５４が当接した状態で後蓋部４が静止する。つまり、爪部２０３が、後蓋部４の閉動作を制限して、静止状態とする制限部として機能する。
【００４５】
そして、操作者により更なる閉塞力が加えられることで、摺動部４５４である傾斜面が爪部２０３の上面を滑り落ちるように摺動する。この摺動に伴い凹部４５３の開口方向が、後方から下方に向かうように回動する。摺動部４５４の後端が爪部２０３の先端を超えると保持部４５全体が下降する。そして、凹部４５３の開口が爪部２０３の先端まで位置したとき、凹部４５３の開口方向が下方から後方へ、つまり係止方向へ、ねじりコイルバネ４５１の弾性復元力により回動することで、凹部４５３が爪部２０３に係止して閉じ位置で安定する。
【００４６】
このように、操作者は、後蓋部４を完全に閉めるには静止状態から更なる閉塞力をかけることが必要となる。操作者が後蓋部４に更なる閉塞力をかける構成としたことにより、操作者に後蓋部４を確実に閉めさせることができる。
【００４７】
後蓋部４の閉じ操作における静止状態は、操作者による閉塞力の加減によっておこる。つまり、閉塞力がねじりコイルバネ４５１の弾性復元力および圧縮コイルバネ２０４の付勢力より小さい場合には後蓋部４は静止状態となり、大きい場合には後蓋部４は、ねじりコイルバネ４５１の弾性復元力や圧縮コイルバネ２０４の付勢力よる抵抗を受け減速しつつも、爪部２０３と当接することで保持部４５が回動して凹部４５３を爪部２０３に係止させることができる。従って、急激な閉じ操作であっても後蓋部４の急激な閉動作を軽減することができる。
【００４８】
後蓋部４が閉じると、次に操作者は前蓋部３を閉じ操作する。前蓋部３の閉じ操作は、前蓋つまみ部３５を持って、支軸２０１を中心とした円弧を描くような閉じ操作を行う。後蓋部４を閉じる際には、後蓋部４を一度静止状態とし、更なる閉塞力をかけさせることで二度の閉じ操作を行わせているので、操作者は閉じ操作には十分な注意が必要であることを感じている。従って、前蓋部３を閉じる際にはゆっくりと、かつ確実な閉じ操作をするので、前蓋部３を後蓋部４と同様に確実に閉じさせることができる。
【００４９】
後蓋部４の閉じ操作を行っているときに、後蓋部４が完全に閉まっておらず、保持部４５が爪部２０３の上面に載った静止状態であるにもかかわらず、後蓋部４が閉位置にあると誤認して更なる閉塞力を後蓋部４に加えない場合がある。
【００５０】
後蓋部４が爪部２０３により閉動作が制限されていて静止状態となる位置にあるときには、前蓋つまみ部３５は後蓋つまみ部４５２に載って重なるような位置にある。つまり、後蓋部４が完全に閉まっていない状態にあるときには、前蓋部３は後蓋部４の上に位置することになるので、前蓋部３は、後蓋部４より大きな角度で開いた状態にある。従って、後蓋部４より前蓋部３の方が開閉状態を視認しやすいので、前蓋部３が完全に閉じていない状態に気づかせることができれば、後蓋部４も完全には閉まってしない状態であることを操作者に気づかせることができる。従って、操作者に前蓋部３が閉まっていないことを視認させることで、後蓋部４の開閉状態の再確認を誘導することができる。
【００５１】
例えば、後蓋部４が完全に閉まっていないことに気が付かない場合には、操作者は、後蓋部４は閉まっていると思い込んでいるので、前蓋部３に更に閉塞力を加えて前蓋部３を閉じ操作する。前蓋部３を閉じ操作することで前蓋部３の下側が、開き操作するときには前蓋部３の下側を押し上げるように作用する押上部４５５である保持部４５の上面を押圧する。前蓋部３の下側が保持部４５の上面を押圧することで、保持部４５の摺動部４５４が爪部２０３の上面を滑り落ちるように摺動して、保持部４５が係止方向とは反対となる方向へ回動する。摺動部４５４の後端が爪部２０３の先端を超えて保持部４５全体が下降することで、保持部４５が係止方向へ回動して、凹部４５３が爪部２０３に係止する。
【００５２】
このように、後蓋部４が閉位置にないときでも前蓋部３を閉じ操作することで後蓋部４を閉じることができ、前蓋部３は閉じられているが後蓋部４が完全に閉じられていないという中途半端な状態が起きない。従って、後蓋部４を開き操作するだけで前蓋部３が開くだけでなく、前蓋部３を完全に閉めるように操作すれば、後蓋部４も完全に閉めることができるので、不完全な状態でファクシミリ装置１の送信動作や受信動作をしてしまうことを防止することができる。
【００５３】
また、後蓋部４の前縁を前蓋部３の後縁に接近させて配置しても、後蓋部４を開き操作するだけで前蓋部３が開かせることができるので問題はない。従って、ファクシミリ装置１全体の大きさを小さくすることができる。
【００５４】
上述したような前蓋部３および後蓋部４を開閉操作しても、保持部４５がＰＯＭ樹脂あるいはガラス繊維ＡＢＳ樹脂で一体的に形成されているので、破損や亀裂が生じてしまうことを防止することができる。
【００５５】
なお、本実施の形態では、後蓋つまみ部４５２と、係止部である凹部４５３と、押上部４５５と、摺動部４５４とを、一体的に形成した保持部４５としているが、操作者が開閉操作することでそれぞれが連動するように構成できれば、それぞれを別部材としてもよい。
【産業上の利用可能性】
【００５６】
本発明は、２つの蓋部を容易な操作で開放することを可能とすることで、操作性を向上させることが可能なので、装置本体の上部に設けた第１蓋部と第２蓋部とが観音開きする蓋部の開閉機構に好適である。
【図面の簡単な説明】
【００５７】
【図１】本発明の実施の形態に係るファクシミリ装置を示す斜視部
【図２】図１に示すファクシミリ装置が観音開きした状態を示す斜視図
【図３】装置本体の内部を示す要部拡大図
【図４】（Ａ）保持部がシャフトに取り付けられている状態を示す斜視図、（Ｂ）保持部の平面図、（Ｃ）保持部の斜視図、（Ｄ）保持部の右側面図、（Ｅ）保持部の底面図
【図５】前蓋部が開いた状態を示す斜視図
【図６】後蓋部の係止状態を示す右側面図
【図７】後蓋部が前蓋部を押し上げている状態を示す右側面図
【図８】後蓋部の係止状態が解除された状態を示す右側面図
【図９】前蓋部および後蓋部が開いた状態を示す右側面図
【図１０】図９に示すファクシミリ装置の平面図
【符号の説明】
【００５８】
１    ファクシミリ装置
２    装置本体
２０１，２０２    支軸
２０３    爪部
２０４    圧縮コイルバネ
３    前蓋部
３１    操作キー群
３１１    数字キー群
３１２    十字キー
３１３    決定キー
３２    表示部
３３    格子状凸部
３４    前面壁
３５    前蓋つまみ部
４    後蓋部
４１    後蓋フレーム部
４１１    後面壁
４２    給紙ローラ
４３    給紙蓋部
４４    給紙トレイ
４５    保持部
４５１    ねじりコイルバネ
４５２    後蓋つまみ部
４５３    凹部
４５４    摺動部
４５５    押上部
４６    シャフト
Ｈ    受話器
Ｐ１    給紙口
【図１】
2008072436.tif 000003
【図２】
2008072436.tif 000004
【図３】
2008072436.tif 000005
【図４】
2008072436.tif 000006
【図５】
2008072436.tif 000007
【図６】
2008072436.tif 000008
【図７】
2008072436.tif 000009
【図８】
2008072436.tif 000010
【図９】
2008072436.tif 000011
【図１０】
2008072436.tif 000012